(57)【要約】【課題】包装容器から販促用の付属品が脱落しないように改良された販促用収納袋を提供することを主要な目的とする。【解決手段】販促用収納袋１０は、上方に開口部１を有し、開口部１の縁から延びて設けられたフラップ３とを備える。フラップ３を開口部１を閉じる方向に折り曲げた場合に、フラップ３の、収納袋２と接触する側の面に帯状の離型材層１４が設けられており、さらに離型材層１４の上に乗りかかるように、フラップ３の上記面に離型材層１４よりも幅広の帯状の粘着材層４が設けられている。【選択図】図１
2014125253.tif 000002
【特許請求の範囲】
【請求項１】
上方に開口部を有する収納袋と、
前記収納袋の前記開口部の縁から延びて設けられたフラップと、を備え、
前記フラップを前記開口部を閉じる方向に折り曲げた場合に、前記フラップの、前記収納袋と接触する側の面に帯状の離型材層が設けられており、さらに
前記離型材層の上に乗りかかるように、前記フラップの前記面に該離型材層よりも幅広の帯状の粘着材層が設けられている販促用収納袋。
【請求項２】
請求項１に記載の販促用収納袋を準備し、
前記収納袋に販促用の付属品を入れ、
前記開口部を閉じるように前記フラップを折り曲げて前記収納袋の側面に接触させた後、前記フラップを開くことにより、前記離型材層の上に位置する前記粘着材層の部分を前記収納袋の前記側面に転写させ、
前記転写された粘着材層を用いて、包装容器の側壁に前記収納袋を貼り付け、
前記包装容器の上端部、下端部又は側方端部を包むように前記フラップを折り曲げて、前記フラップに残っている粘着材層を用いて、前記フラップを前記包装容器の側壁に貼り付けてなる、販促グッズ。
【発明の詳細な説明】
【技術分野】
【０００１】
本発明は一般にサイドシール袋等の収納袋に関するものであり、より特定的には、商品の包装容器に付属品を付けて販売するような場合に、その中に付属品を入れて包装容器に貼り付けることができる販促用収納袋に関する。この発明はまたそのような販促用収納袋に付属品を入れて包装容器に貼り付けてなる販促グッズに関する。
【背景技術】
【０００２】
薬局、スーパなどの売り場内においては、販促のために魅力ある景品或いは使用説明書などの付属品を包装容器に付けて販売するような場合がある。そのような場合、該付属品を透明な収納袋に収納して、その収納袋を包装容器の表面に貼り付けると、付属品の存在がよく見えて、購買者の購買意欲を喚起できる。
【発明の概要】
【発明が解決しようとする課題】
【０００３】
しかし、付属品を収納した収納袋を包装容器の表面に貼り付ける場合、接着箇所が一箇所であると外れ易く、包装容器から付属品が脱落してしまい、当該包装容器の販促を図るという目的が充分に達成できない。
【０００４】
本発明は、斯かる実情に鑑み、包装容器から販促用の付属品が脱落しないように改良された販促用収納袋を提供することを目的とする。
【０００５】
本発明の他の目的は、そのような収納袋に販促用の付属品を収納して包装容器に貼り付けてなる販促グッズを提供することにある。
【課題を解決するための手段】
【０００６】
本発明に係る販促用収納袋は、上方に開口部を有する収納袋と、上記収納袋の上記開口部の縁から延びて設けられたフラップと、を備える。上記フラップを上記開口部を閉じる方向に折り曲げた場合に、上記フラップの、上記収納袋と接触する側の面に帯状の離型材層が設けられており、さらに上記離型材層の上に乗りかかるように、上記フラップの上記面に該離型材層よりも幅広の帯状の粘着材層が設けられている。
【０００７】
このような販促用収納袋は、次のように、包装容器に付けて販促グッズを作る。すなわち、上記収納袋に販促用の付属品を入る。上記開口部を閉じるように上記フラップを折り曲げて上記収納袋の側面に接触させた後開くことにより、上記離型材層の上に位置する上記粘着材層の部分を上記収納袋の上記側面に転写させる。上記転写された粘着材層を用いて、包装容器の側壁に上記収納袋を貼り付ける。上記包装容器の上端部、下端部又は側方端部を包むように上記フラップを折り曲げて、上記フラップに残っている粘着材層を用いて、上記フラップを上記包装容器の側壁に貼り付ける。
【発明の効果】
【０００８】
本発明に係る販促用収納袋によれば、包装容器の上端部、下端部又は側方端部を包み込むようにフラップを折り曲げて、２箇所で接着するので、結局包装容器の上端部、下端部又は側方端部を含めると、３点で収納袋がしっかりと支持されることになり、付属品を収納した収納袋が包装容器から脱落することはない。
【図面の簡単な説明】
【０００９】
【図１】（Ａ）は実施例１に係る販促用収納袋の正面図であり、（Ｂ）は図１（Ａ）におけるＢ−Ｂ線に沿う断面図であり、（Ｃ）は離型材層上の粘着材層を転写した後の状態を示す図である。
【図２】実施例１に係る販促用収納袋を包装容器に貼り付けて使用する方法を説明する図であり、（Ａ）は正面図であり、（Ｂ）は側面図（サイドシール袋の部分は、断面端面図）である。
【図３】パウチの上端部を包み込むようにフラップを折り曲げて、２箇所で接着する方法を説明する図である。
【発明を実施するための形態】
【００１０】
包装容器から販促用の付属品が分離して脱落しない販促用収納袋を得るという目的を、包装容器の上端部、下端部又は側方端部を包み込むようにフラップを折り曲げて、２箇所で接着するという構成によって実現した。以下、本発明の実施例を図面を参照しながら説明する。
【実施例１】
【００１１】
図１（Ａ）は、実施例１に係る販促用収納袋の正面図である。実施例１に係る販促用収納袋１０は、片面ヒートシールＯＰＰ（グンゼ株式会社シルファンＳＡ１タイプ＃４０）で形成され、上方に開口部１を有する収納袋２と、収納袋２の開口部１の縁から延びて設けられたフラップ３とを備える。フラップ３を開口部１を閉じる方向に折り曲げた場合に、フラップ３の、収納袋２と接触する側の面に帯状の離型材層１４が設けられている。離型材層１４は、ラミネートインキ用メジウム（東洋インキ製Ｎ９００Ｒメジウム）に、離型剤（ＤＩＣ製Ｗ−０４２ＮＴ）３％及び硬化剤（東洋インキ製ＬＰスーパー硬化剤）５％を添加したものである。離型材層１４の上に乗りかかるように、上記フラップの上記面に該離型材層１４よりも幅広の帯状の第１の粘着材層４が設けられている。該粘着材層４は、粘着剤である例えばサイビノール（登録商標）ＡＴ−４０２（サイデン化学製）で形成される。なお、粘着材層４の表面は、図示しないが、離型フィルムを用いて保護される。
【実施例２】
【００１２】
このような販促用収納袋１０の使用の方法について説明する。収納袋２の開口部１より販促用の使用説明書などの付属品７を入れる。図１（Ｂ）（Ｃ）を参照して、開口部１を閉じるようにフラップ３を折り曲げて収納袋２の側面に接触させることにより、第１の粘着材層４の離型材層１４の上に位置する部分を収納袋２の上記側面に転写させ、転写粘着材層４ａを形成する。図２（Ａ）（Ｂ）を参照して、包装容器（化粧品容器を例示する）８の一方の側壁８ａに転写粘着材層４ａを用いて収納袋１０を貼り付ける。包装容器の下端部９を包むようにフラップ３を折り曲げて、フラップ３に残っている第１の粘着材層４を用いて、フラップ３を包装容器の他方の側壁８ｂに貼り付ける。
【００１３】
本実施例に係る販促用収納袋によれば、包装容器の下端部９を包み込むようにフラップ３を折り曲げて、２箇所で接着するので、結局包装容器の下端部９を含めると、３点で収納袋がしっかりと支持されることになり、付属品を収納した収納袋が包装容器から脱落することはない。
【実施例３】
【００１４】
本実施例では、包装容器の下端部を包み込むようにフラップを折り曲げて、２箇所で接着する場合を例示したが、この発明はこれに限られるものでなく、図３に示すように、包装容器８が詰め替えパウチのような場合、パウチの上端部を包み込むようにフラップ３を折り曲げて、２箇所で接着してもよい。このようにしても、収納袋がしっかりと支持されることになり、付属品を収納した収納袋２が包装容器から脱落することはない。
【００１５】
この場合、販促用サイドシール袋１０を包装容器８（パウチ）の幅方向にずらせて貼り付けた場合において、上端部から第１の粘着材層４までの距離と、上端部から転写粘着材層４ａまでの距離とを等しくすると、第１の粘着材層４と転写粘着材層４ａとが部分的に接触して接着し、より強く販促用サイドシール袋１０が包装容器８（パウチ）に固定される。
【００１６】
なお、上記上端部、下端部以外にも、包装容器８（パウチ）の側方端部を包み込むようにフラップ３を折り曲げて、２箇所で接着してもよい。
【００１７】
なお、上記実施例では、収納体の素材として片面ヒートシールＯＰＰの多層フィルムを例示したが、本発明はこれに限られるものでなく、ヒートシール、溶断シールでシール可能であれば、いずれのものも使用できる。また、形状についても上記例は一例であり、フラップのついた形状であればいずれの袋形状のものでもよい。また、製袋方法についても、特に限定されない。
【００１８】
なお、上記実施例では包装容器を例示したが、薬品包装容器とその使用説明書の組み合わせ、洗剤包装容器と景品の組み合わせ等、種々のものに応用することができる。
【００１９】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２０】
本発明の販促用収納袋によれば、包装容器から景品、使用説明書などの付属品が脱落しない。
【符号の説明】
【００２１】
１          開口部
２          収納袋
３          フラップ
４          粘着材層
４ａ        転写粘着材層
７          付属品
８          包装容器
８ａ、８ｂ  側壁
９          下端部
１０        販促用収納袋
１４        離型材層
【図１】
2014125253.tif 000003
【図２】
2014125253.tif 000004
【図３】
2014125253.tif 000005